(57)【要約】      （修正有）【課題】乗客の退屈感又は焦燥感を解消する簡単な構造のエレベータのかご室内表示装置を提供する。【解決手段】エレベータのかごに搭載されてかごの加速度を検出する加速度センサ２１と、エレベータのかごに搭載されてかごでの圧力変化を検出する圧力センサ２２と、かご室内の床面および天井面のうちの一方または両方に設置された表示画面２３と、エレベータのかごに搭載されて表示画面の表示制御を行う表示制御装置１０と、を備え、表示制御装置１０が、加速度センサ２１で検出された加速度からかご移動速度を求めるかご移動速度演算部１１と、圧力センサで検出された圧力の変化からかご移動方向を求めるかご移動方向判定部１２と、かご移動方向に従って、かご移動速度の変化に連動させて、表示画面２３に表示画面２３が設置された面のかごの外側の映像である予め格納されている記録映像を再生して映像表示を行う表示制御部１３と、を含む。【選択図】図３
2019199341.tif 000002
【特許請求の範囲】
【請求項１】
エレベータのかごに搭載されてかごの加速度を検出する加速度センサと、
エレベータのかごに搭載されてかごでの圧力変化を検出する圧力センサと、
前記かご室内の床面および天井面のうちの一方または両方に設置された表示画面と、
エレベータのかごに搭載されて前記表示画面の表示制御を行う表示制御装置と、
を備え、
前記表示制御装置が、
前記加速度センサで検出された加速度からかご移動速度を求めるかご移動速度演算部と、
前記圧力センサで検出された圧力の変化からかご移動方向を求めるかご移動方向判定部と、
前記かご移動方向に従って、前記かご移動速度の変化に連動させて、前記表示画面に表示画面が設置された面のかごの外側の映像である予め格納されている記録映像を再生して映像表示を行う表示制御部と、
を含む、エレベータのかご室内表示装置。
【請求項２】
前記かご室内の側面に表示画面をさらに設置し、
前記表示制御部が、前記かご移動方向に従って、前記かご移動速度の変化に連動させて、前記表示画面に表示画面が設置された面のかごの外側の映像である予め格納されている記録映像を再生して映像表示を行う、
請求項１に記載のエレベータのかご室内表示装置。
【請求項３】
エレベータのかご室内の床面および天井面のうちの一方または両方に設置された表示画面と、
エレベータのかごに搭載され、前記かご室内の床面および天井面の前記表示画面が設置された面のかごの外側に設けられて、かごの外側の実映像を撮像するビデオカメラと、
を備え、前記ビデオカメラで得られた実映像を対応する面の前記表示画面に映像表示する、エレベータのかご室内表示装置。
【請求項４】
前記かご室内の側面に関して表示画面およびビデオカメラをさらに設置し、前記ビデオカメラで得られた実映像を対応する面の前記表示画面に映像表示する、
請求項３に記載のエレベータのかご室内表示装置。
【請求項５】
前記かご室内の床面に表示画面を設置した請求項１から４までのいずれか１項に記載のエレベータのかご室内表示装置において、
前記かご室内の床面の表示画面をかご室内の床面上に設置し、
エレベータのかご位置調整により、前記表示画面の厚み分、かごを下げて着床させるようにした、エレベータのかご室内表示装置据付方法。
【発明の詳細な説明】
【技術分野】
【０００１】
この発明は、エレベータのかご室内に設置される表示装置、特に、運転中、かご室内の乗客の退屈感または焦燥感を回避する表示装置、および表示装置の据付方法に関するものである。
【背景技術】
【０００２】
従来のエレベータのかご室内の表示装置として、表示装置は、かご室内の側面に設置され、そしてエレベータ駆動装置と連動して動作する仕組みのものがある（例えば、特許文献１参照）。また、乗客の降りる階に従った、かご内の立ち位置領域を、かご室内の床面に案内表示する表示装置がある（例えば、特許文献２参照）。
【先行技術文献】
【特許文献】
【０００３】
【特許文献１】特開平５−２０１６６０号公報（４頁、図１、図２）
【特許文献２】特開２００５−２７２１２７号公報（９頁、図１）
【発明の概要】
【発明が解決しようとする課題】
【０００４】
従来のエレベータのかご室内表示装置は、かご室内の側面に設置されているので、運転中の臨場感が少なく、乗客の退屈感または焦燥感を解消できないという問題点があった。また、表示装置の据付けについては、エレベータのかごの運転速度に同期した映像を表示するために、表示装置とエレベータの駆動構造との連携が必要であった。これにより、表示装置とエレベータ駆動構造との接続が必要であった。また、表示装置と連動する駆動構造に対応したかごに交換する据付作業が必要であった。これにより、大規模な工事を実施する必要があるという問題点があった。
【０００５】
また、エレベータかご室内の床面に表示装置があっても、乗客の降りる階に従ったかご内の立ち位置領域の表示をすることから、乗客の退屈感または焦燥感を解消することはできないという問題点があった。
【０００６】
この発明は、かかる問題点を解決するためになされたもので、エレベータの駆動構造と連携させることなく、エレベータのかご室内の床面または天井面に表示画面を配置して、かご移動速度の変化に連動させてかごの外側の昇降路内の移動中の映像のような臨場感のある映像を表示することで、乗客の退屈感または焦燥感を解消するエレベータのかご室内表示装置を提供することを目的としている。
【０００７】
また、エレベータのかごの外側の映像をビデオカメラで実映像として撮って、表示画面に映像を表示することにより、より簡単な構成で実現したエレベータのかご室内表示装置を提供することを目的としている。
【課題を解決するための手段】
【０００８】
この発明は、エレベータのかごに搭載されてかごの加速度を検出する加速度センサと、エレベータのかごに搭載されてかごでの圧力変化を検出する圧力センサと、前記かご室内の床面および天井面のうちの一方または両方に設置された表示画面と、エレベータのかごに搭載されて前記表示画面の表示制御を行う表示制御装置と、を備え、前記表示制御装置が、前記加速度センサで検出された加速度からかご移動速度を求めるかご移動速度演算部と、前記圧力センサで検出された圧力の変化からかご移動方向を求めるかご移動方向判定部と、前記かご移動方向に従って、前記かご移動速度の変化に連動させて、前記表示画面に表示画面が設置された面のかごの外側の映像である予め格納されている記録映像を再生して映像表示を行う表示制御部と、を含む、エレベータのかご室内表示装置にある。
【０００９】
また、エレベータのかご室内の床面および天井面のうちの一方または両方に設置された表示画面と、エレベータのかごに搭載され、前記かご室内の床面および天井面の前記表示画面が設置された面のかごの外側に設けられて、かごの外側の実映像を撮像するビデオカメラと、を備え、前記ビデオカメラで得られた実映像を対応する面の前記表示画面に映像表示する、エレベータのかご室内表示装置にある。
【発明の効果】
【００１０】
この発明では、エレベータの駆動構造と連携させることなく、エレベータのかご室内の床面または天井面の表示画面に、かご移動速度の変化に連動させてかごの外側の昇降路内の移動中の映像のような臨場感のある映像を表示することで、乗客がより現実に則した浮遊感が感じられ、退屈感または焦燥感を解消できる。
【００１１】
また、エレベータのかごの外側の映像をビデオカメラで実映像として撮って、表示画面に映像を表示することにより、より簡単な構成で実現できる。
【図面の簡単な説明】
【００１２】
【図１】この発明によるエレベータのかご室内表示装置のかごの構成の一例を示すかごの内部を透過して示した図である。
【図２】この発明の実施の形態１による表示画面に表示する映像例を示す図である。
【図３】この発明の実施の形態１によるエレベータのかご室内表示装置の構成の一例を示すブロック図である。
【図４】この発明の実施の形態２によるエレベータのかご室内表示装置の構成の一例を示すブロック図である。
【図５】この発明の実施の形態３によるエレベータのかご室内表示装置据付方法を説明するために図である。
【発明を実施するための形態】
【００１３】
以下、この発明によるエレベータのかご室内表示装置とエレベータのかご室内表示装置据付方法を各実施の形態に従って図面を用いて説明する。なお、各実施の形態において、同一もしくは相当部分は同一符号で示し、重複する説明は省略する。
【００１４】
実施の形態１．
図１は、この発明の実施の形態１によるエレベータのかご室内表示装置のかごの構成の一例を示すかごの内部を透過して示した図である。図２は、この発明の実施の形態１による表示画面に表示する映像例を示す図である。図３は、この発明の実施の形態１によるエレベータのかご室内表示装置の構成の一例を示すブロック図である。
【００１５】
図１において、エレベータのかご１の室内の床面１ａに、例えば液晶テレビの薄型大画面の表示画面２３ａが設置されている。表示画面２３ａには、図２に示すように、表示画面２３ａが設置された床面のかごの外側の、かごの下面からかごの下降方向側を見た、運転中すなわち上昇時および下降時の移動の際の映像が、かご移動方向に従って表示される。(ａ)は昇降路の運転中の映像、（ｂ）はかごの床面が抜け落ちるような映像、（ｃ）は水面に雨が降り落ちる映像、（ｄ）は怪物が下から襲ってくるような映像、である。なおこの発明において「映像」とは動画を意味する。図２の各図の映像は、後述するように、かご移動方向およびかご移動速度に追従して動く。
【００１６】
加速度センサ２１は、かごに搭載されてかごの加速度を検出する。圧力センサ２２は、かごに搭載されてかごでの圧力変化を検出する。表示画面群２３は、表示画面２３ａおよび後述するかご室内のその他の面に設置される表示画面を含む。表示制御装置１０は、表示画面群２３の表示制御を行う。ここでは表示画面２３ａへの表示について説明する。
【００１７】
表示制御装置１０のかご移動速度演算部１１は、加速度センサ２１で検出された加速度を積分してかご移動速度を求める。かご移動方向判定部１２は、圧力センサ２２で検出された圧力の変化からかご移動方向を求める。そして表示制御部１３は、かご移動方向に従って、かご移動速度の変化に連動させて、表示画面２３ａに、表示画面２３ａが設置された床面のかごの外側の映像である予め格納されている記録映像を再生して映像表示を行う。この際、表示制御部１３は、かご移動速度の変化に合わせて、再生速度を変化させて映像表示を行う。記憶部１４は、表示画面２３等に表示する記録映像を格納している。記録映像としては、図２に例示したもの等がある。
【００１８】
加速度センサ２１、圧力センサ２２、表示画面群２３、表示制御装置１０は、全てかご１に搭載されている。
【００１９】
このように構成されたエレベータのかご室内表示装置においては、かごに搭載された加速度センサ２１および圧力センサ２２から、かご移動速度およびかご移動方向が得られる。これにより、かご室内表示装置をエレベータの駆動構造と連携させることなく、かご移動速度およびかご移動方向に追従して、表示画面２３の映像の動く方向、速度が変化する。これにより、かご室内の乗客は速度変化を増幅して体感でき、運転中の退屈感または焦燥感を解消することができる。さらに、表示画面２３をかご室内の床面１ａに設置したことで、乗客は速度変化をより増幅して体感できる。
【００２０】
なお、上記の例では表示画面をかご室内の床面１ａに設置した例を示したが、表示画面をかご室内の天井面１ｂに設置しても実施することが可能であり、相当の効果が得られる。表示画面を天井面１ｂに設置した場合、表示画面が設置された天井面のかごの外側の、かごの頂面からかごの上昇方向側を見た、運転中すなわち上昇時および下降時の移動の際の映像が、かご移動方向および速度に追従して表示される。
【００２１】
また、表示画面を、かご室内の床面１ａおよび天井面１ｂに設置しても実施することが可能である。
【００２２】
さらに、表示画面を、かご室内の床面１ａおよび天井面１ｂに加えて、かご室内の側面１ｃに設置しても実施することが可能である。表示画面をかご室内の側面１ｃに設置した場合、表示画面が設置されたかご室内の側面のかごの外側の、かごの外部側面から昇降路側面を見た、運転中すなわち上昇時および下降時の移動の際の映像が、かご移動方向およびかご移動速度に追従して表示される。
【００２３】
表示画面を、かご室内の複数の面に設置する場合、記憶部１４には、各表示画面のためのかごの上昇時および下降時のそれぞれの映像が予め格納されている。
【００２４】
このように表示画面をかご室内の各面に設置することで、乗客は透明のエレベータのかごに乗っているような浮遊感を体感でき、より楽しむことができる。
【００２５】
なお、表示制御装置１０は、ハードウェアとして例えばプロセッサと、プロセッサで実行するプログラム、処理に使用する情報およびデータを格納したメモリとで構成され、図３はこれを機能ブロックで示したものである。記憶部１４はメモリに対応している。また、表示画面２３ａは、乗客が上に乗っても破損しないように、図示は省略されているが、例えば透明な強化ガラスで保護されている。または表示画面２３ａは、透明な強化ガラスからなる床面下に設置するようにしてもよい。
【００２６】
実施の形態２．
図４は、この発明の実施の形態２によるエレベータのかご室内表示装置の構成の一例を示すブロック図である。この実施の形態では、図１に示すように、ビデオカメラ２４ａ，２４が表示画面２３ａ、２３が設置された面のかごの外側にそれぞれ設けられて、かごの外側の実映像を撮像する。そして各ビデオカメラ２４ａ，２４で得られた実映像を対応する面の表示画面２３ａ、２３に直接、映像表示する。表示画面２３ａ、ビデオカメラ２４ａは、上述の実施の形態１に対応させて、かご室内の床面に関するものを示す。表示画面２３ａ、２３、ビデオカメラ２４ａ，２４は全てかご１に搭載されている。
【００２７】
ビデオカメラで得られた実映像が表示画面に直接、映像表示されるので、実施の形態１の加速度センサ２１、圧力センサ２２、表示制御装置１０は不要となる。
【００２８】
かご室内の床面１ａの表示画面２３ａに対して設けられたビデオカメラ２４ａは、床面１ａのかごの外側の、かごの下面からかごの下降方向側を見た、運転中すなわち上昇時および下降時の移動の際の映像を撮る。かご室内の天井面１ｂの表示画面２３に対して設けられたビデオカメラ２４は、天井面１ｂのかごの外側の、かごの頂面からかごの上昇方向側を見た、運転中すなわち上昇時および下降時の移動の際の映像を撮る。かご室内の側面１ｃの表示画面２３に対して設けられたビデオカメラ２４は、側面１ｃのかごの外側の、かごの外部側面から昇降路側面を見た、運転中すなわち上昇時および下降時の移動の際の映像を撮る。
【００２９】
この実施の形態においても上記実施の形態１と同様に、表示画面およびビデオカメラは、かご室内の床面１ａおよび天井面１ｂのうちの一方または両方に関して設置される。そしてさらに、かご室内の側面１ｃに関して設置するようにしてもよい。
【００３０】
このように、表示画面に対してビデオカメラを設けた構成にした場合、実施の形態１に記載した加速度センサ２１、圧力センサ２２、表示制御装置１０は不要となり、安価に実施の形態１と同様の効果を得ることができる。
【００３１】
実施の形態３．
図５は、この発明の実施の形態３によるエレベータのかご室内表示装置据付方法を説明するために図である。図５において、厚み２３ＴＨの表示装置２３ａはエレベータのかご１の床面上に設置されている。また、一般的なエレベータは、乗客乗り場床レベルＬ１と、かご室内の床面レベルＬ２との高さが一致するように、かご位置調整機能を有している。
【００３２】
上記の各実施の形態のように構成されたエレベータのかご室内表示装置においては、かご位置調整機能を使用して、乗客乗り場床レベルＬ１と、かご室内の床面レベルＬ２との高さを、表示画面２３ａの厚み２３ＴＨ分、調整することにより、表示画面２３ａを設置した状態の時に、乗客ＰＡから見た床レベルを一致させることができ、エレベータのかご位置調整機能の設定だけで、床面に設定した表示画面２３ａを実現できる。
【００３３】
すなわち、上述の各実施の形態において、かごの床面の表示画面をかご室内の床面上に設置した場合、エレベータのかご位置調整により、表示画面の厚み分、かごを下げて着床させるようにすればよい。
【符号の説明】
【００３４】
１  かご、１ａ  床面、１ｂ  天井面、１ｃ  側面、１０  表示制御装置、１１  かご移動速度演算部、１２  かご移動方向判定部、１３  表示制御部、１４  記憶部、２１  加速度センサ、２２  圧力センサ、２３，２３ａ  表示画面(群)、２４，２４ａ  ビデオカメラ(群)。
【図１】
2019199341.tif 000003
【図２】
2019199341.tif 000004
【図３】
2019199341.tif 000005
【図４】
2019199341.tif 000006
【図５】
2019199341.tif 000007